(57)【要約】【課題】規格外のマルチセッションディスクについても先頭トラックの頭出しを確実に行ない信頼性の高い再生処理を行なう再生装置を提供する。【解決手段】ディスクを読み出し、第１セッションのリードインに含まれる管理情報に次のセッションの存在を示す情報が含まれるとき、リードインのアドレス配置が所定アドレスであるか否かに基づきディスクが正規のマルチセッションのディスクかどうかを判断する判断部１１と、ディスクを正規のマルチセッションのディスクではないと判断するとき、シングルセッションのディスクとして扱い、ディスク中の情報を再生する再生部１１，１とを有する再生装置。【選択図】    図１
2004303352.tif 000002
【特許請求の範囲】
【請求項１】
管理情報及びコンテンツ情報をもつ１又は複数のセッションを有するディスクを読み出し、第１のセッションのリードインに含まれる前記管理情報に次のセッションの存在を示す情報を検出した時、前記リードインのアドレス配置がマルチセッションのためのアドレス配置であるか否かに基づき前記ディスクが正規のマルチセッションのディスクかどうかを判断する判断部と、
前記判断部が前記ディスクを正規のマルチセッションのディスクであると判断するとき、前記リードインがマルチセッションのためのアドレス配置であることを前提に、検出した現在アドレスに応じてピックアップヘッドを移動して前記コンテンツ情報を再生し、前記判断部が前記ディスクを正規のマルチセッションのディスクではないと判断するとき、前記リードインのアドレス配置がシングルセッションのためのアドレス配置であることを前提に、検出した現在アドレスに応じてピックアップヘッドを移動して前記コンテンツ情報を再生する再生部と、
を具備することを特徴とする再生装置。
【請求項２】
前記再生部は、前記判断部が前記ディスクを正規のマルチセッションのディスクであると判断するとき、全ての複数のセッション中の前記管理情報をそれぞれ取得して合成し、これに基づいて前記ディスク中のコンテンツ情報を再生し、前記判断部が前記ディスクを正規のマルチセッションのディスクではないと判断するとき、前記第１のセッション中の前記管理情報に基づいて前記ディスク中のコンテンツ情報を再生することを特徴とする請求項１記載の再生装置。
【請求項３】
管理情報及びコンテンツ情報をもつ１又は複数のセッションを有するディスクを読み出し、第１のセッションのリードインに含まれる前記管理情報に次のセッションの存在を示す情報を検出した時、前記リードインのアドレス配置がマルチセッションのためのアドレス配置であるか否かに基づき前記ディスクが正規のマルチセッションのディスクかどうかを判断し、
前記ディスクを正規のマルチセッションのディスクであると判断するとき、前記リードインがマルチセッションのためのアドレス配置であることを前提に、検出した現在アドレスに応じてピックアップヘッドを移動して前記コンテンツ情報を再生し、前記ディスクを正規のマルチセッションのディスクではないと判断するとき、前記リードインのアドレス配置がシングルセッションのためのアドレス配置であることを前提に、検出した現在アドレスに応じてピックアップヘッドを移動して前記コンテンツ情報を再生することを特徴とする再生方法。
【請求項４】
前記ディスクを正規のマルチセッションのディスクであると判断するとき、全ての複数のセッション中の前記管理情報をそれぞれ取得して合成し、これに基づいて前記ディスク中のコンテンツ情報を再生し、前記ディスクを正規のマルチセッションのディスクではないと判断するとき、前記第１のセッション中の前記管理情報に基づいて前記ディスク中のコンテンツ情報を再生することを特徴とする請求項３記載の再生方法。
【発明の詳細な説明】
【０００１】
【発明の属する技術分野】
この発明は、ディスクの再生装置に関し、特にＣＤ（Ｃｏｍｐａｃｔ  Ｄｉｓｋ）に構造的に類似する規格外のマルチセッションディスクを再生する再生装置及び再生方法に関する。
【０００２】
【従来の技術】
最近、光ディスクの普及に伴い、ＣＤの規格においても多様なものが策定されており、ＣＤＤＡ（オーディオディスク）などのシングルセッションの規格や、ＣＤ−Ｅｘｔｒａ（オーディオにデータが追加されているディスク）などのマルチセッションの規格がある。
【０００３】
これに関連した従来技術として、マルチセッションのディスクを扱う情報記録再生装置示す例がある（例えば、特許文献１，特許文献２参照）。ここでは、マルチセッションのディスクの各セッションに分散した管理情報を収集して、記録用ディスクの記録領域に書き込むことにより、各セッションへのアクセスを容易にする技術が示されている。
【０００４】
【特許文献１】
特開２００２−５０１７号公報。
【０００５】
【特許文献２】
ＰＣＴ出願、ＷＯ００／１９４３２号公報。
【０００６】
【発明が解決しようとする課題】
しかしながら、上述した従来技術のようなディスクドライブでは、規格外のマルチセッションディスクについては、先頭トラックの頭出しを行うことができないという問題がある。
【０００７】
本発明は、上述の規格外のマルチセッションディスクについても先頭トラックの頭出しを確実に行ない信頼性の高い再生処理を行なう再生装置及び再生方法を提供することを目的とする。
【０００８】
【課題を解決するための手段】
本発明は上記課題を解決するべく、管理情報及びコンテンツ情報をもつ１又は複数のセッションを有するディスクを読み出し、第１のセッションのリードインに含まれる前記管理情報に次のセッションの存在を示す情報を検出した時、前記リードインのアドレス配置がマルチセッションのためのアドレス配置であるか否かに基づき前記ディスクが正規のマルチセッションのディスクかどうかを判断する判断部と、前記判断部が前記ディスクを正規のマルチセッションのディスクであると判断するとき、前記リードインがマルチセッションのためのアドレス配置であることを前提に、検出した現在アドレスに応じてＰＵＨを移動して前記コンテンツ情報を再生し、前記判断部が前記ディスクを正規のマルチセッションのディスクではないと判断するとき、前記リードインのアドレス配置がシングルセッションのためのアドレス配置であることを前提に、検出した現在アドレスに応じてＰＵＨを移動して前記コンテンツ情報を再生する再生部とを具備することを特徴とする再生装置である。
【０００９】
本発明の再生装置は上記構造により、例えば、最近、市場に流通する規格外のマルチセッションディスクのように、第１セッションのＴＯＣ情報に次セッションのアドレス情報を有しマルチセッションディスクを示しているにもかかわらず、第１セッションのリードインのアドレスがマルチセッションの規格に対応していない、具体的にはリードインの末尾アドレスが、“９９：５９：７４”になっていない場合、このディスクをシングルセッションのディスクと同等に扱うものである。具体的には、規格外のマルチセッションディスクの先頭トラック（１曲目）の先頭である００：０２：００にアクセスする際、第１セッションのリードインにＰＵＨが位置している場合、外周側にアクセスするべきであるが、従来装置であれば、規格外のマルチセッションディスクの、第１セッションのリードインに位置していると判定されず第２セッション以降のリードインに位置していると判定され、内周側へ移動すべきと判定されてしまうため、第１セッションの先頭トラック（１曲目）に到達することができず、曲の再生を行なうことができないが、本発明に係る再生装置によれば、このような規格外のマルチセッションディスクを一般のシングルセッションのディスクと扱うことにより、第１セッションのリードインに位置している場合、図７のＳ３６のように現在位置を００：００：００と判定され、ＰＵＨを外周側へ移動させるべきと判定されるので、第１トラックの曲の頭出しを確実に行なうことができる。こうすることで、一般のＣＤ規格に類似した規格外のマルチセッションディスクについても、先頭トラック（１曲目）の頭出しを失敗することなく、再生を行なうことができる。
【００１０】
【発明の実施の形態】
以下、図面を参照しながら本発明の再生装置及び再生方法の実施形態について詳細に説明する。図１は、本発明の一実施の形態であるディスクドライブの構成の一例を示す図、図２は、本発明の一実施の形態であるディスクドライブが扱うシングルセッションのディスクの構成の一例を示す図、図３は、本発明の一実施の形態であるディスクドライブが扱うマルチセッションのディスクの構成の一例を示す図、図４は、本発明の一実施の形態であるディスクドライブが扱う規格外のマルチセッションのディスクの構成の一例を示す図、図８は、本発明の一実施の形態であるディスクドライブのディスク認識時のモード決定動作を説明するフローチャート、図９は、本発明の一実施の形態であるディスクドライブのディスク位置判別処理の動作を説明するフローチャートである。
【００１１】
＜本発明を用いない場合のディスクドライブでの処理＞
更に、図５は、本発明を用いない場合のディスクドライブのディスク認識処理を説明するフローチャート、図６は、本発明を用いない場合のディスクドライブのアクセス処理を説明するフローチャート、図７は、本発明を用いない場合のディスクドライブのディスク位置判別処理の動作を説明するフローチャートである。
【００１２】
初めに本発明を用いない場合のディスクドライブでの規格外のマルチセッションディスクについて、フローチャートを用いて説明する。図２は、シングルセッションの光ディスクの構成の一例を示す図、図３は、マルチセッションの光ディスクの構成の一例を示す図である。
【００１３】
これらＣＤの規格において、リードインはＴＮＯ（Ｔｒａｃｋ  Ｎｕｍｂｅｒ）が００Ｈであるセクタエリアと規定されている。リードインには管理情報であるＴＯＣ（Ｔａｂｌｅ  Ｏｆ  Ｃｏｎｔｅｎｔｓ）情報が記録される。シングルセッションの規格では、（第１セッションの）リードイン内のアドレスは連続していれば任意の値を設定してよいことになっている。図２においては、一例として、リードインのアドレスとして、末尾が１３：１０：７４となるアドレスが割り振られている。これに対し、マルチセッションの規格においては、各セッションの位置を把握するために、第１セッションのリードイン内のアドレスは末尾アドレスを９９：５９：７４となるような連続のアドレスを割り振り、第２セッション以降のリードインのアドレスは、（第１セッションのリードインを除く）ディスク内で連続しているアドレスを割り振るよう規定されている。図３においては、一例として、第１セッションのリードインは上述の規格通り、末尾アドレスを９９：５９：７４となるような連続のアドレスを割り振り、第２セッションのリードインは１２：４２：１５から１３：４２：１４のアドレスが割り振られている。
【００１４】
ディスクドライブは、これらの規格に基づきディスク認識処理や、アクセス処理を行なっている。
【００１５】
図５は、本発明を用いない場合のディスク認識処理のフローチャート、図６は、本発明を用いない場合のアクセス処理のフローチャート、図７は、本発明を用いない場合のディスク位置判別処理のフローチャートである。
【００１６】
図５のディスク認識のフローチャートにおいて、ディスクが挿入されると（Ｓ１１）、ＰＵＨ（ピックアップヘッド）を光ディスクの最内周まで移動する（Ｓ１２）。ここで、その位置に記録されている、第１セッションのリードインよりＴＯＣ情報を取得する（Ｓ１３）。このとき、挿入されたディスクが図２のようなシングルセッションのディスクであり、ＴＯＣ情報に次セッションのアドレス情報を含んでおらず、単に、ＴＮＯとその時間情報とリードアウトのアドレスだけを示す場合（Ｓ１４）、シングルセッションディスクと判断される（Ｓ１６）。挿入されたディスクが図３のようなマルチセッションのディスクであり、第１セッションのリードインに次セッションのアドレス情報を含んでいる場合（Ｓ１４）、マルチセッションディスクと判断される（Ｓ１７）。
【００１７】
図６のアクセス処理のフローチャートにおいて、アクセス命令を受けると（Ｓ２１）、まず、現在位置のアドレス情報を取得する（Ｓ２２）。現在位置のアドレス情報の取得（判別）方法については、図７において詳細を説明する。現在アドレスと目的アドレスが同じでない場合（Ｓ２３）、現在アドレスとアクセス目的のアドレスを比較する（Ｓ２４）。現在アドレスが目的アドレスよりも小さい場合（Ｓ２４）、現在アドレスと目的アドレスの差より移動距離を計算し（Ｓ２５）、Ｓ２５にて計算された距離だけ外周側へＰＵＨを移動させる（Ｓ２６）。現在アドレスが目的アドレスよりも大きい場合（Ｓ２４）、現在アドレスと目的アドレスの差より移動距離を計算し（Ｓ２７）、Ｓ２７にて計算された距離だけ内周側へＰＵＨを移動させる（Ｓ２８）。外周側、或いは内周側へＰＵＨを移動させた後（Ｓ２６或いはＳ２８）、再度現在位置のアドレス情報を取得する処理（Ｓ２２）へ戻る。現在アドレスと目的アドレスが同じであった場合（Ｓ２３）、アクセス目的に到達しているのでアクセス処理を終了する。
【００１８】
図７のディスク位置判別処理のフローチャートにおいて、まずＰＵＨより読取られた現在のＴＮＯ情報とアドレス情報を取得する（Ｓ３１）。取得された現在のＴＮＯ情報が００Ｈでない、つまりリードインでない場合（Ｓ３２）、取得されたアドレス情報はそのままディスク内で連続しているアドレスであるので、取得されたアドレス情報を現在アドレスとする（Ｓ３５）。取得された現在のＴＮＯ情報が００Ｈ、つまりリードイン内の場合（Ｓ３２）、図５のＳ１６或いはＳ１７で判別しているディスクの情報、つまりシングルセッションディスクかマルチセッションディスクかを確認する（Ｓ３３）。シングルセッションディスクの場合（Ｓ３３）、上述の通り、リードイン内は任意のアドレスであり、正確に位置を把握するためのアドレスは不明であるため、代わりに現在アドレスを００：００：００に位置しているとする（Ｓ３６）。マルチセッションディスクの場合（Ｓ３３）、取得されたアドレス情報が８０：００：００以上か否かを判別する（Ｓ３４）。上述の通り、第２セッション以降のリードインはディスク内で連続しているアドレスが割り振られており、ＣＤ規格に規定されている最大容量の８０：００：００以上の値は取り得ない。そのため、取得されたアドレス情報が８０：００：００未満の場合（Ｓ３４）、第２セッション以降のリードインであると判断され、取得されたアドレス情報はリードイン以外のエリアと同じく、ディスク内で連続しているアドレスであるので、取得されたアドレス情報を現在アドレスとする（Ｓ３５）。上述の通り、マルチセッションディスクの第１セッションのリードインは末尾アドレスを９９：５９：７４となるような連続のアドレスが割り振られており、取得されたアドレス情報が８０：００：００以上の場合（Ｓ３４）、第１セッションのリードインに位置していると判断され、（現在アドレス）−９９：５９：７４  の計算結果（負数）を現在アドレスとする（Ｓ３７）。
【００１９】
従って、上述の場合においては、アドレスを利用し目的のセクタにアクセスされる。アクセスの際には、図６のＳ２５やＳ２７にあるように目的アドレスまでの距離を計算し、その距離だけＰＵＨを移動させるが、移動の際の精度により、目的を越えて移動する場合や、目的の手前までしか移動しない場合がありうる。第１セッションの第１トラック（曲）は図２や図３にあるように、リードインより連続して記録されており、第１トラックの頭出し（第１トラックの先頭にアクセス）をする場合において、ＰＵＨの移動後、第１セッションのリードインに位置する可能性があるため、正確に第１セッションのリードインに位置しているかどうかの判定が必要となる。第１セッションのリードインに位置しているかどうかの判定は図７に示している通り、シングルセッションディスクにおいては、（リードイン内のアドレスは適当な値が使用されるため）ＴＮＯ＝００Ｈかどうかのみで判定し、マルチセッションディスクにおいては、ＴＮＯ＝００Ｈで且つ９９：５９：７４の近い値（８０：００：００以上）の場合に第１セッションのリードインと判定される。
【００２０】
しかしながら、現実の市場では、図４のような構成を持った、第１セッションのリードインのＴＯＣ情報に次セッションを示す情報が記録されており、マルチセッションディスクであることを示しているにもかかわらず、第１セッションのリードインのアドレスが１３：１０：７４のような値になっている、マルチセッションに似せた規格外のディスクが流通している。上述した本発明を用いない場合のディスクドライブにおいて、このような規格外のマルチセッションディスクに対しては、図５の通り、マルチセッションディスクと判定されてしまう。規格外マルチセッションディスクにおいて、第１セッションの第１トラックの先頭アドレスである００：０２：００をアクセス目的とし、本ディスクの第１セッションのリードインにＰＵＨがいた場合、図７のＳ３４の判断が行なわれ、８０：００：００以下のアドレス情報が取得されてしまうため、第１セッションのリードインにいるとは判定されず、第２セッション以降のリードインにいると誤判定されてしまい、Ｓ３５のように取得されたアドレス情報をそのままディスク内で連続しているアドレスと誤判定してしまうため、図６のＳ２４において現在アドレス＞目的アドレスと判定されてしまう。このため、本来外周側へ移動すべきであるにも係らず、内周側へ移動と判定されてしまい、目的のセクタへ到達することが出来ず、第１セッションの先頭のトラック（曲）の頭出しに失敗してしまう問題がある。
【００２１】
上述の規格外のマルチセッションディスクを含む、第１セッションがデータでなくオーディオであるディスクにおいて、主な使用目的は、第１セッションに記録されているオーディオ部の再生であり、ディスクドライブにおいて、これらのディスクの先頭トラックの頭出しが必要となる。
【００２２】
＜本発明に係るディスクドライブの構成＞
次に、本発明を用いたディスクドライブについて、図面を用いて詳細に説明する。本発明に係るディスクドライブＡは、図１に示すように、全体の動作を司るシステム制御部１と、基本動作プログラム等を格納するＲＯＭ２と、これに接続され作業エリアを提供するＲＡＭ３とを有している。更に、これに接続されて駆動系を制御するサーボ制御部４を有し、サーボ制御部４はサーボ制御系各処理回路５に制御信号を供給し、更に、サーボ制御系各処理回路５は、アクチュエータドライバ６を介してＰＵＨ７を駆動すべく接続されている。更に、サーボ制御部４は、スピンドルモータ８に接続され回転数を制御している。又、ＰＵＨ７から供給した信号を受ける信号処理部９を有し、信号処理部９からの信号は、読取りバッファ１０等を介して本発明に係るモード判断を行なう判断部１１に接続され、更に外部との通信処理を行なうインタフェース１２に接続されている。更に、インタフェース１２は、一例として、ＰＣ（Ｐｅｒｓｏｎａｌ  Ｃｏｍｐｕｔｅｒ）１３等に接続されるものである。
このような構成を有するディスクドライブＡにおいて、システム制御部１はＲＡＭ３を作業エリアとして使用し、ＲＯＭ２に記録された本発明の後述する動作を含むプログラムに従って所定の動作を行なう。ＰＵＨ７から出力された光は、光ディスクＤに照射される。光ディスクＤからの反射光は、ＰＵＨ７で電気信号に変えられる。この電気信号は、信号処理部９に入力される。信号処理部９には、ＲＦアンプなどが含まれる。
【００２３】
再生時は、ＰＵＨ７から読出された信号は、信号処理部９にて復調され、読取りバッファ１０に送られる。その後、データはインタフェース１２を通してＰＣ１３などの外部に転送される。また、ＴＯＣ情報やアドレス情報などはシステム制御部１にも送られ、ディスクのアクセス制御のための情報として用いられる。
【００２４】
（光ディスクの種類）
本発明に係るディスク装置が扱う光ディスクについて図面を用いて説明する。図２において、シングルセッション規格に則った代表的な光ディスクのアドレス構成図を示す。又、図３において、マルチセッション規格に則った代表的な光ディスクのアドレス構成図を示す。更に、図４において、本発明に係る再生装置の対象となる規格外のマルチセッションディスクの代表的なアドレス構成図を示す。
【００２５】
ＣＤ規格において、リードインはＴＮＯ（トラックナンバー）が００Ｈであるセクタエリアであり、ＴＯＣ情報を有している。ＴＯＣ情報内には各トラックの開始アドレス情報が書かれている他、次セッションがあれば次セッションの開始アドレス情報も含まれる。これにより、各トラックのサーチが可能となり、又、マルチセッションディスクであるかどうかの判断がディスクドライブにおいて可能となる。
【００２６】
図２のように、光ディスクがシングルセッションの場合、リードイン内のアドレスは任意の値を取りうる。リードイン内のアドレスが固定のアドレスを割り振るよう規定されていないのは、リードインつまりＴＮＯ＝００Ｈのセクタエリアはディスクの内周側に１ヶ所のみのため、ディスク内周に位置していることが判断できるためである。これに対し、図３のように、マルチセッションディスクの場合、リードイン（ＴＮＯ＝００Ｈ）のセクタエリアは２ヶ所以上あり、リードインに位置している場合、ＴＮＯ＝００Ｈという情報のみでは正確な位置判別が不能となるため、各セッションのリードインのアドレスも正確に規定しておく必要がある。このため、第１セッションのリードイン内のアドレスは（ディスク容量よりも大きい８０：００：００以上の値で、）リードインの末尾アドレスを９９：５９：７４となる連続のアドレスを割り振るよう規定されている。第２セッション以降のリードインのアドレスは、（第１セッションのリードインを除く）ディスク内で連続しているアドレスを割り振るよう規定されている。
【００２７】
これらの規定に対し、本発明に係るディスクドライブが処理対象とする、規格外のマルチセッションディスクにおいては、図４のように第１セッションのリードイン内のＴＯＣ情報に次セッションのアドレス情報があり、マルチセッションディスクであることを示しているにもかかわらず、第１セッションのリードインのアドレスが、マルチセッションの規格に則った末尾アドレス９９：５９：７４とはなっておらず、任意のアドレス（ここでは極端な例として第２セッションにも同じアドレスが存在する１３：１０：７４）が割り振られている。このため、リードインにＰＵＨ７が位置している場合、第１セッションのリードインにいるのか第２セッションのリードインにいるのかの現在位置の判別ができない構成になっている。
【００２８】
（本発明に係る処理動作）
本実施形態は、第１セッションのＴＯＣに次セッションのアドレスがありながら、リードインアドレスが正規のものでない規格外のマルチセッションディスクを、シングルセッションのディスクとして扱う再生装置を提供する。
なお、以下の実施形態では、シングルセッションモード、マルチセッションモードを用いた場合で説明しているが、本発明は、第１セッションのリードインのアドレス配置をシングルセッションのリードインのアドレス配置として扱うものであり、必ずしもモードを用いることを必要としていない。
本発明に係るディスクドライブＡは、図８のフローチャートにおいて、ディスクが挿入されると（Ｓ１１）、ＰＵＨをディスクの最内周まで移動する（Ｓ１２）。ここで、その位置に記録されている第１セッションのリードインより、ＴＯＣ情報を取得する（Ｓ１３）。このとき、挿入されたディスクが図２のような正規のシングルセッションのディスクであり、ＴＯＣ情報に次セッションのアドレス情報を含んでおらず、単に、ＴＮＯとその時間情報とリードアウトのアドレスだけを示す場合（Ｓ１４）、シングルセッションであることが図１の判断部１１により判断され、シングルセッションモードが選択される（Ｓ４６）。
【００２９】
又、挿入されたディスクが図３のような正規のマルチセッションのディスクであり、第１セッションのリードインに次セッションのアドレス情報を含んでいる場合（Ｓ１４）、第１セッションのリードインのアドレスが正当な値、すなわち、８０：００：００以上の値で、末尾アドレスが“９９：５９：７４”の値であるか否かを判定する（Ｓ４５）。第１セッションのリードインのアドレスが正当な値の場合（Ｓ４５）、正規のマルチセッションディスクと判断して、マルチセッションモードが選択される（Ｓ４７）。
【００３０】
又、ディスクが図４のように、正規のマルチセッションディスクではなく、第１セッションのリードインのアドレス配置が正当な値を有していない、すなわち、８０：００：００以上の値で、末尾アドレスが“９９：５９：７４”の値を有していない場合（Ｓ４５）、正規のシングルセッションディスクと同等と扱うと判断して、シングルセッションモードを選択する（Ｓ４６）。
【００３１】
（再生処理の具体的手順）
ここで、シングルセッションモード及びマルチセッションモードが選択されることにより行なわれる再生処理を、図面を用いて詳細に説明する。
【００３２】
アクセス処理に関しては、本発明を用いない場合のディスクドライブのものをそのまま流用できるので、図６のディスクドライブのアクセス処理のフローチャートについて再度説明する。アクセス命令を受けると（Ｓ２１）、まず、現在位置のアドレス情報を取得する（Ｓ２２）。現在位置のアドレス情報の取得方法については、図９において詳細を説明する。現在アドレスと目的アドレスが同じでない場合（Ｓ２３）、現在アドレスとアクセス目的のアドレスを比較する（Ｓ２４）。現在アドレスが目的アドレスよりも手前であった場合（Ｓ２４）、現在アドレスと目的アドレスの差より移動距離を計算し（Ｓ２５）、Ｓ２５にて計算された距離だけ外周側へＰＵＨを移動させる（Ｓ２６）。現在アドレスが目的アドレスよりも大きい場合（Ｓ２４）、現在アドレスと目的アドレスの差より移動距離を計算し（Ｓ２７）、Ｓ２７にて計算された距離だけ内周側へＰＵＨを移動させる（Ｓ２８）。外周側、或いは内周側へＰＵＨを移動させた後（Ｓ２６或いはＳ２８）、再度現在位置のアドレス情報を取得する処理（Ｓ２２）へ戻る。現在アドレスと目的アドレスが同じであった場合（Ｓ２３）、アクセス目的に到達しているのでアクセス処理を終了する。これも上述の内容となるが、Ｓ２５やＳ２７において目的アドレスまでの距離を計算し、その距離だけＰＵＨを移動させるが、移動の際の精度により、目的を越えて移動する場合があり、第１セッションの第１トラックの先頭にアクセスをする場合において、ＰＵＨの位置が第１セッションのリードインに位置する可能性があり、正確に第１セッションのリードインに位置しているかどうかの判定が必要となる。
【００３３】
次に、本実施形態におけるディスク位置判別処理について説明する。図９のディスク位置判別処理のフローチャートは、図７の本発明を用いない場合のディスク位置判別処理のフローチャートとほぼ類似している。まずＰＵＨより読取られた現在のＴＮＯ情報とアドレス情報を取得する（Ｓ３１）。取得された現在のＴＮＯ情報が００Ｈでない、つまりリードインでない場合（Ｓ３２）、取得されたアドレス情報はそのままディスク内で連続しているアドレスであるので、取得されたアドレス情報を現在アドレスとする（Ｓ３５）。取得された現在のＴＮＯ情報が００Ｈ、つまりリードイン内の場合（Ｓ３２）、図８のＳ４５或いはＳ４６で決定したディスクモード情報、つまりシングルセッションディスクモードかマルチセッションディスクモードかを確認する（Ｓ５３）。シングルセッションディスクモードの場合（Ｓ５３）、第１セッションのリードイン内は任意のアドレスであり、正確に位置を把握するためのアドレスは不明であるため、代わりに現在アドレスを００：００：００に位置しているとする（Ｓ３６）。マルチセッションディスクモードの場合（Ｓ５３）、取得されたアドレス情報が８０：００：００以上か否かを判別する（Ｓ３４）。この処理は本発明を用いない場合と同じであり、取得されたアドレス情報が８０：００：００未満の場合（Ｓ３４）、第２セッション以降のリードインであると判断され、取得されたアドレス情報を現在アドレスとする（Ｓ３５）。取得されたアドレス情報が８０：００：００以上の場合（Ｓ３４）、第１セッションのリードインに位置していると判断され、（現在アドレス）−９９：５９：７４の計算結果（負数）を現在アドレスとする（Ｓ３７）。
【００３４】
このようにして、規格外のマルチセッションディスクをシングルセッションディスクモードで扱うことにより、正確に第１セッションに位置しているか否かの判定が可能となり、第１セッションの先頭トラック（１曲目）の頭出しを正確に行なうことができる再生装置及び再生方法を提供するものである。
【００３５】
＜本発明に係るディスクドライブの他の例＞
本発明は、図１に上述したようにＰＣに接続される再生専用のディスクドライブのみに適用されるものではなく、記録再生処理の機能を伴ったものや、単体で光ディスクのコンテンツ情報の再生を行なうことができるＡＶ機器のような光ディスク装置にも適用することができるものである。
【００３６】
このような再生機能及び記録機能を有する光ディスク装置においても、上述した本発明に係る規格外のマルチセッションディスクの再生処理を同様に適用することができ、同等の作用効果を得ることが可能となる。
【００３７】
以上記載した実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００３８】
例えば、規格外のマルチセッションディスク等の規格外のリードインのアドレス配置について、上記実施形態では、通常のシングルセッションのリードインのアドレス配置として認識すると述べたが、規格が要求するアドレス配置に応じて、これとは異なるアドレス配置として認識することであっても同等の作用効果を有するものである。
【００３９】
【発明の効果】
以上詳述したように本発明によれば、マルチセッションを示すフラグを有するにもかかわらず第１セッションのリードインのアドレス配置が不正な規格外のマルチセッションディスクを、シングルセッションと同等のリードインのアドレス配置として認識することにより、第１セッションのリードインが位置判別が可能となるため、第１セッションのリードインに連続している第１トラックのコンテンツ情報のアクセス（頭出し）を正確に行なうことが可能な再生装置及び再生方法を提供することができる。
【図面の簡単な説明】
【図１】本発明の一実施の形態であるディスクドライブの構成の一例を示す図。
【図２】本発明の一実施の形態であるディスクドライブが扱うシングルセッションの光ディスクの構成の一例を示す図。
【図３】本発明の一実施の形態であるディスクドライブが扱うマルチセッションの光ディスクの構成の一例を示す図。
【図４】本発明の一実施の形態であるディスクドライブが扱う規格外のマルチセッションの光ディスクの構成の一例を示す図。
【図５】本発明を用いない場合のディスクドライブのディスク認識処理を説明するフローチャート。
【図６】本発明を用いない場合のディスクドライブのアクセス処理を説明するフローチャート。
【図７】本発明を用いない場合のディスクドライブのディスク位置判別処理の動作を説明するフローチャート。
【図８】本発明の一実施の形態であるディスクドライブのディスク認識時のモード決定動作を説明するフローチャート。
【図９】本発明の一実施の形態であるディスクドライブのディスク位置判別処理の動作を説明するフローチャート。
【符号の説明】４…サーボ制御部、７…ＰＵＨ、１１…判断部・処理部、１…システム制御部、１３…ＰＣ。
【図１】
2004303352.tif 000003
【図２】
2004303352.tif 000004
【図３】
2004303352.tif 000005
【図４】
2004303352.tif 000006
【図５】
2004303352.tif 000007
【図６】
2004303352.tif 000008
【図７】
2004303352.tif 000009
【図８】
2004303352.tif 000010
【図９】
2004303352.tif 000011